(57)【要約】【課題】設問に対する解答群の中から解答を選択する型式の対話型教材を、コンピュータの専門家ではない教材作成者でも簡単に作成できるようにする。【解決手段】設問群を入力する設問群入力欄５２１，各設問の設問文を入力する設問文入力欄５４１，設問に対する解答群を入力する解答群入力欄５５１１とともに、少なくとも選択された解答に関連する事項を入力する解答関連事項入力欄を表示部に表示し、それら各欄にデータを入力させる入力画面表示処理と、入力された前記データに基づいてデータファイルを作成するデータファイル作成処理と、前記データファイルに基づき、設問文，解答群を表示して、その解答群から解答を選択するよう促す表示処理手順，選択された解答に関連する事項を表示する表示処理手順を含む表示制御ファイルを作成する表示制御ファイル作成処理とを行わせることによって、上記対話型教材を作成することを特徴としている。【選択図】図７
2006163357.tif 000002
【特許請求の範囲】
【請求項１】
各種のデータを入力するための入力部と、表示部とを備えた教材作成装置に、対話型教材を作成する機能を実現させるための対話型教材作成支援プログラムであって、
設問群を入力する設問群入力欄，各設問の設問文を入力する設問文入力欄，設問に対する解答群を入力する解答群入力欄とともに、少なくとも選択された解答に関連する事項を入力する解答関連事項入力欄を表示部に表示し、それら各欄にデータを入力させる入力画面表示処理と、
入力された前記データに基づいてデータファイルを作成するデータファイル作成処理と、
前記データファイルに基づき、設問文，解答群を表示して、その解答群から解答を選択するよう促す表示処理手順，選択された解答に関連する事項を表示する表示処理手順を含む表示制御ファイルを作成する表示制御ファイル作成処理とを行わせることによって、上記対話型教材を作成することを特徴とする対話型教材作成支援プログラム。
【請求項２】
各種のデータを入力するための入力部と、表示部とを備えた教材作成装置に、対話型教材を作成する機能を実現させるための対話型教材作成支援プログラムであって、
設問群をシナリオとしてそのシナリオ名を入力するシナリオ名入力欄，シナリオを構成する設問群を入力する設問群入力欄，各設問の設問文を入力する設問文入力欄，設問に対する解答群を入力する解答群入力欄とともに、選択された解答に対応する医療行為の結果を入力する医療行為結果入力欄，選択された解答に対応する医療行為の必要性等の解説を入力する選択解答解説入力欄，及び選択されなかった解答に対応する医療行為の必要性等の解説を入力する非選択解答解説入力欄を表示部に表示し、それら各欄にデータを入力させる入力画面表示処理と、
入力された前記データを前記シナリオ名に対応させてデータファイルを作成するデータファイル作成処理と、
前記データファイルに基づき、設問群，設問文，解答群を表示して、その解答群から解答を選択するよう促す表示処理手順，選択された解答に対応する医療行為の結果及び選択された解答に対応する解説を表示する表示処理手順，選択されなかった解答に対応する解説を表示する表示処理手順を含む表示制御ファイルを作成する表示制御ファイル作成処理とを行わせることによって、上記対話型教材を作成することを特徴とする対話型教材作成支援プログラム。
【請求項３】
入力画面表示処理は、各設問について一つの解答を選択したときに医療行為結果入力欄に入力されたデータ等を表示させる一問一答形式、又は複数の解答を選択させる複数選択形式の設問種別を選択させる種別選択欄を表示部に表示して、その種別選択欄で、最大選択数を指定する最大選択数指定欄を表示部に表示することを特徴とする請求項１又は２に記載の対話型教材作成支援プログラム。
【請求項４】
設問種別には設問に関連する関連事項の解説が含まれ、入力画面表示処理が設問の関連事項解説を入力する関連事項解説入力欄を表示することを特徴とする請求項３に記載の対話型教材作成支援プログラム。
【請求項５】
入力画面表示処理は、各解答に対して加減点される得点を入力する得点入力欄を表示し、前記表示処理手順には、点数を保持する手順，前記各解答の得点を前記点数に加減算する手順が含まれることを特徴とする請求項１〜４のいずれかに記載の対話型教材作成支援プログラム。
【請求項６】
入力画面表示処理は、各々の設問に対して、選択されなければならない解答を指定する必須解答指定欄，該必須解答に対応する解説を入力する必須解説入力欄，選択されてはならない解答を指定する除外解答指定欄，該除外解答に対応する解説を入力する除外解説入力欄，解答が選択される順序を指定する解答順序指定欄，該解答順序に対応する解説を入力する解答順序解説入力欄を表示し、前記表示処理手順には、必須解答が選択されなかった場合、除外解答が選択された場合、解答が解答順序を過って選択された場合に、それぞれ必須解説，除外解説，解答順序解説を表示する手順が含まれることを特徴とする請求項１〜５のいずれかに記載の対話型教材作成支援プログラム。
【請求項７】
入力画面表示処理は、設問に必要な静止画，動画等の画像を指定する画像指定欄を表示し、前記表示処理手順には、前記設問と併せて前記画像を表示部に表示する手順が含まれることを特徴とする請求項１〜６のいずれかに記載の対話型教材作成支援プログラム。
【請求項８】
請求項１〜７のいずれかに記載された対話型教材作成支援プログラムを実行する処理装置と、その対話型教材作成支援プログラムを実行することによって生成したデータファイル及び表示制御ファイルを記憶した記憶装置とを有することを特徴とする教材作成装置。
【請求項９】
請求項８に記載した教材作成装置が、電気通信回線を介してサーバ装置に接続されており、その教材作成装置の処理装置に、データファイル及び表示制御ファイルをサーバ装置に送信するファイル送信処理を行わせることを特徴とする対話型教材作成システム。
【請求項１０】
請求項１〜９のいずれかに記載の対話型教材作成支援プログラムを記録したことを特徴とするコンピュータにより読み取り可能な記録媒体。
【請求項１１】
各種のデータを入力するための入力部と、表示部とを備えた教材作成装置によって対話型教材作成支援プログラムを実行することにより作成された対話型教材であって、
設問群を入力する設問群入力欄，各設問の設問文を入力する設問文入力欄，設問に対する解答群を入力する解答群入力欄とともに、少なくとも選択された解答に関連する事項を入力する解答関連事項入力欄にそれぞれ入力された設問群，設問文，解答群及び少なくとも選択された解答に関連する事項を含む入力データに基づいて作成されたデータファイルと、このデータファイルに基づき、設問群，設問文，解答群を表示部に表示して、その表示された解答群から解答を選択するよう促す表示処理手順，選択された解答に関連する事項を表示する表示処理手順を含む表示制御ファイルとを有していることを特徴とする対話型教材。
【請求項１２】
請求項１１に記載の対話型教材は、独立して実行可能な実行可能ファイルにして形成されていることを特徴とする対話型教材。
【請求項１３】
請求項１１又は１２に記載の対話型教材を記録したことを特徴とするコンピュータにより読み取り可能な記録媒体。
【請求項１４】
各種のデータを入力するための入力部と、表示部とを備えた１又は２以上のクライアント側コンピュータが、電気通信回線を介してホスト側コンピュータに接続されており、
上記ホスト側コンピュータには、設問群を入力する設問群入力欄，各設問の設問文を入力する設問文入力欄，設問に対する解答群を入力する解答群入力欄とともに、少なくとも選択された解答に関連する事項を入力する解答関連事項入力欄を表示部に表示し、それら各欄にデータを入力させる入力画面表示処理と、入力された前記データに基づいてデータファイルを作成するデータファイル作成処理と、前記データファイルに基づき、設問群，設問文，解答群を表示して、その表示された解答群から解答を選択するよう促す表示処理手順，選択された解答に関連する事項を表示する表示処理手順を含む表示制御ファイルを作成する表示制御ファイル作成処理とを行わせるための対話型教材作成支援プログラムが、上記クライアント側コンピュータから実行可能に設定されていることを特徴とする対話型教材作成システム。
【請求項１５】
ホスト側コンピュータには、対話型教材の作成に供する素材が、クライアント側コンピュータから利用可能に蓄積されるようになっており、
クライアント側コンピュータに、対話型教材の作成に必要な素材をホスト側コンピュータにアップロードする素材アップロード手段を設けたことを特徴とする請求項１４に記載の対話型教材作成システム。
【請求項１６】
対話型教材の作成を許された者であることを示す識別情報毎に、対話型教材を蓄積するための個別サーバ領域がホスト側コンピュータに形成されており、
そのホスト側コンピュータに、クライアント側コンピュータから入力された識別情報が対話型教材の作成を許された者であることを示すものか否かを判別する識別情報判別手段と、
その識別情報が対話型教材の作成を許された者であると判別したときには、クライアント側コンピュータから入力された識別情報に対応する個別サーバ領域への接続のみを許容する接続許容手段とを設けていることを特徴とする請求項１４又は１５に記載の対話型教材作成システム。
【請求項１７】
対話型教材の作成を許された者であることを示す識別情報が、これに対応する個別サーバ領域とともに、これとは異なる他の個別サーバ領域に関連付けられており、
上記識別情報が対話型教材の作成を許された者であると判別したときには、その識別情報に対応する個別サーバ領域及び関連付けられている他の個別サーバ領域への接続が許容されることを特徴とする請求項１６に記載の対話型教材作成システム。
【請求項１８】
ホスト側コンピュータには、対話型教材の使用を許された者であることを示す識別情報に対応して、対話型教材を蓄積する共通サーバ領域が形成されており、
そのホスト側コンピュータに、クライアント側コンピュータから入力された識別情報が対話型教材の使用を許された者であることを示すものか否かを判別する識別情報判別手段と、その識別情報が対話型教材の使用を許された者であると判別したときには、上記共通サーバ領域への接続のみを許容する接続許容手段を設けたことを特徴とする請求項１４〜１７のいずれかに記載の対話型教材作成システム。
【請求項１９】
ホスト側コンピュータには、対話型教材の使用を許された者であることを示す識別情報に対応して、複数の対話型教材を蓄積する共通サーバ領域が形成されているとともに、それら複数の対話型教材がグループ化されており、
そのホスト側コンピュータに、クライアント側コンピュータから入力された識別情報が対話型教材の使用を許された者であることを示すものか否かを判別する識別情報判別手段と、
その識別情報が対話型教材の使用を許された者であると判別したときには、上記共通サーバ領域内の一のグループ化された複数の対話型教材への接続のみを許容する接続許容手段を設けたことを特徴とする請求項１４〜１７のいずれかに記載の対話型教材作成システム。
【請求項２０】
請求項１６〜１９のいずれかに記載の個別サーバ領域に蓄積された対話型教材を共通サーバ領域に複製する複製手段を、ホスト側コンピュータに設けたことを特徴とする対話型教材作成システム。
【請求項２１】
設問群を入力する設問群入力欄，各設問の設問文を入力する設問文入力欄，設問に対する解答群を入力する解答群入力欄とともに、少なくとも選択された解答に関連する事項を入力する解答関連事項入力欄を表示部に表示し、それら各欄にデータを入力させる入力画面表示処理と、入力された前記データに基づいてデータファイルを作成するデータファイル作成処理と、前記データファイルに基づき、設問文，解答群を表示して、その解答群から解答を選択するよう促す表示処理手順，選択された解答に関連する事項を表示する表示処理手順を含む表示制御ファイルを作成する表示制御ファイル作成処理とを行わせる対話型教材作成支援プログラムをホスト側コンピュータに実行可能に設定しておき、
クライアント側コンピュータから入力された識別情報に基づき、そのクライアント側コンピュータを電気通信回線を介してホスト側コンピュータに接続し、対話型教材作成支援プログラムを実行することにより対話型教材を作成することを特徴としている対話型教材作成方法。
【発明の詳細な説明】
【技術分野】
【０００１】
本発明は、自然科学，社会科学及び人文科学を学習するための対話型教材作成支援プログラム、教材作成装置、対話型教材、対話型教材作成支援プログラムを記録したコンピュータにより読み取り可能な記録媒体、対話型教材を記録したコンピュータにより読み取り可能な記録媒体、対話型教材作成システム、及び対話型教材作成方法に関する。
【背景技術】
【０００２】
教育分野においてシステム化が進んでおり、様々な電子教材作成ツールが開発されている。例えば特開平１１−１３３８４６号公報（特許文献１）には、学習目標、画面の流れのシナリオ、教材構造知識、マルチメディア素材等の教材知識を作成する教材作成支援システムが開示されている。
【０００３】
ところで、医歯学生，臨床研修医等にとって臨床症例を理解することは重要であるが、実習や研修で経験できる症例には限りがある。そこで、臨床シミュレーション教材を活用して数多くの症例を仮想体験することにより、その臨床経験の不足を補うことが望ましい。
【０００４】
しかしながら、上記特許文献１に記載されている教材作成支援システムは、対話しながら医学・歯学等医療関係の学習を行うシミュレーション教材の作成に適用していない。    
【０００５】
また、特に臨床シミュレーション教材を作成するためにはコンピュータと臨床教育との双方に精通していることが必要であり、そのような教材作成者は稀であることから、医歯学全般を網羅するシミュレーションのシナリオを多数用意することが困難である。
【０００６】
さらに、シミュレーション教材をコンピュータの専門家と臨床教育の専門家との共同作業で作成することも可能であるが、その際には経費と打ち合わせ時間とを要する上に、教材作成者の意図した通りのものを作成することが困難なことが多い。
【０００７】
【特許文献１】特開平１１−１３３８４６号公報
【発明の開示】
【発明が解決しようとする課題】
【０００８】
そこで本発明は、設問に対する解答群の中から解答を選択する型式の対話型教材を、コンピュータの専門家ではない教材作成者でも簡単に作成することができる対話型教材作成支援プログラム、教材作成装置、対話型教材、対話型教材作成支援プログラムを記録したコンピュータにより読み取り可能な記録媒体、対話型教材を記録したコンピュータにより読み取り可能な記録媒体、対話型教材作成システム、及び対話型教材作成方法の提供を目的としている。
【課題を解決するための手段】
【０００９】
上記の目的を達成するための本発明に係る対話型教材作成支援プログラム、教材作成装置、対話型教材、対話型教材作成支援プログラムを記録したコンピュータにより読み取り可能な記録媒体、対話型教材を記録したコンピュータにより読み取り可能な記録媒体、対話型教材作成システム、及び対話型教材作成方法は、それぞれ次の構成からなる。
【００１０】
請求項１に記載した対話型教材作成支援プログラムは、各種のデータを入力するための入力部と、表示部とを備えた教材作成装置に、対話型教材を作成する機能を実現させるためのものであり、
設問群を入力する設問群入力欄，各設問の設問文を入力する設問文入力欄，設問に対する解答群を入力する解答群入力欄とともに、少なくとも選択された解答に関連する事項を入力する解答関連事項入力欄を表示部に表示し、それら各欄にデータを入力させる入力画面表示処理と、
入力された前記データに基づいてデータファイルを作成するデータファイル作成処理と、
前記データファイルに基づき、設問文，解答群を表示して、その解答群から解答を選択するよう促す表示処理手順，選択された解答に関連する事項を表示する表示処理手順を含む表示制御ファイルを作成する表示制御ファイル作成処理とを行わせることによって、上記対話型教材を作成することを特徴としている。
【００１１】
この構成によれば、各設問に対して、設問文と、設問文に対する複数の解答からなる解答群と、各解答に関連する事項とを入力することにより、設問文、解答群を表示して解答の選択を促し、選択された解答に関連する事項を表示する処理を、設問群の各設問に対して行う対話型教材を作成できる。すなわち、入力画面表示処理により表示された各欄に、設問文、解答群等の各項目を入力するだけで対話型教材を作成することができる。
【００１２】
請求項２に記載の対話型教材作成支援プログラムは、各種のデータを入力するための入力部と、表示部とを備えた教材作成装置に、対話型教材を作成する機能を実現させるためのものであり、
設問群をシナリオとしてそのシナリオ名を入力するシナリオ名入力欄，シナリオを構成する設問群を入力する設問群入力欄，各設問の設問文を入力する設問文入力欄，設問に対する解答群を入力する解答群入力欄とともに、選択された解答に対応する医療行為の結果を入力する医療行為結果入力欄，選択された解答に対応する医療行為の必要性等の解説を入力する選択解答解説入力欄，及び選択されなかった解答に対応する医療行為の必要性等の解説を入力する非選択解答解説入力欄を表示部に表示し、それら各欄にデータを入力させる入力画面表示処理と、
入力された前記データを前記シナリオ名に対応させてデータファイルを作成するデータファイル作成処理と、
前記データファイルに基づき、設問群，設問文，解答群を表示して、その解答群から解答を選択するよう促す表示処理手順，選択された解答に対応する医療行為の結果及び選択された解答に対応する解説を表示する表示処理手順，選択されなかった解答に対応する解説を表示する表示処理手順を含む表示制御ファイルを作成する表示制御ファイル作成処理とを行わせることによって、上記対話型教材を作成することを特徴としている。
【００１３】
上記の構成によれば、必要数の設問を作成してシナリオを構成し、各設問に対して、設問文と、設問文に対して行い得る医療行為を示した複数の解答からなる解答群と、各解答に示された医療行為により得られる医療行為結果と、各解答が選択された際に表示される解説と、各解答が選択されなかった際に表示される解説とを入力することにより、設問文、解答群を表示して解答の選択を促し、選択された解答に対応する医療行為結果、解説を表示するとともに選択されなかった解答に対応する解説を表示する処理を、設問群の各設問に対して行う対話型教材が作成される。すなわち、入力画面表示処理により表示部に表示された各欄に、設問文、解答群等の各項目を入力するだけで対話型教材を作成することができる。
【００１４】
請求項３に記載の対話型教材作成支援プログラムは、請求項１又は２に記載した入力画面表示処理が、各設問について一つの解答を選択したときに医療行為結果入力欄に入力されたデータ等を表示させる一問一答形式、又は複数の解答を選択させる複数選択形式の設問種別を選択させる種別選択欄を表示部に表示して、その種別選択欄で、最大選択数を指定する最大選択数指定欄を表示部に表示することを特徴としている。この構成によると、各設問に対して最大選択数を設定することができる。
【００１５】
請求項４に記載の対話型教材作成支援プログラムは、請求項３に記載した設問種別には設問に関連する関連事項の解説が含まれ、入力画面表示処理が設問の関連事項解説を入力する関連事項解説入力欄を表示することを特徴としている。
【００１６】
請求項５に記載の対話型教材作成支援プログラムは、請求項１〜４に記載の入力画面表示処理は、各解答に対して加減点される得点を入力する得点入力欄を表示し、前記表示処理手順には、点数を保持する手順，前記各解答の得点を前記点数に加減算する手順が含まれることを特徴としている。
【００１７】
この構成によると、対話型教材を使用した学習者が解答を選択した場合及び選択しなかった場合に、解答に対して設定されている得点が加減算されるため、一問一答，複数選択のいずれの設問であっても点数が正確に計算される。
【００１８】
請求項６に記載の対話型教材作成支援プログラムは、請求項１〜５のいずれかに記載の入力画面表示処理が、各々の設問に対して、選択されなければならない解答を指定する必須解答指定欄，該必須解答に対応する解説を入力する必須解説入力欄，選択されてはならない解答を指定する除外解答指定欄，該除外解答に対応する解説を入力する除外解説入力欄，解答が選択される順序を指定する解答順序指定欄，該解答順序に対応する解説を入力する解答順序解説入力欄を表示し、前記表示処理手順には、必須解答が選択されなかった場合、除外解答が選択された場合、解答が解答順序を過って選択された場合に、それぞれ必須解説，除外解説，解答順序解説を表示する手順が含まれていることを特徴としている。
【００１９】
この構成によると、対話型教材を使用した学習者が、選択すべき解答を選択しなかった場合、選択してはならない解答を選択した場合、解答を選択する順序を過った場合に、即座に警告が表示される。
【００２０】
請求項７に記載の対話型教材作成支援プログラムは、請求項１〜６のいずれかに記載の入力画面表示処理が、設問に必要な静止画，動画等の画像を指定する画像指定欄を表示し、前記表示処理手順には、前記設問と併せて前記画像を表示部に表示する手順が含まれることを特徴としている。この構成によると、設問毎に適切な画像が付与される。
【００２１】
請求項８に記載の教材作成装置は、請求項１〜７のいずれかに記載した対話型教材作成支援プログラムを実行する処理装置と、その対話型教材作成支援プログラムを実行することによって生成したデータファイル及び表示制御ファイルを記憶する記憶装置とを有して構成されている。この構成によれば、教材作成装置だけで対話型教材を作成することができる。
【００２２】
請求項９に記載の教材作成装置は、請求項８に記載した教材作成装置が、電気通信回線を介してサーバ装置に接続されており、その教材作成装置の処理装置に、データファイル及び表示制御ファイルをサーバ装置に送信するファイル送信処理を行わせることを特徴としている。
この構成によれば、作成した対話型教材をサーバ装置に送信することにより、種々の対話型教材がサーバ装置上に蓄積されるとともに、電気通信回線を介して学習者に供給できるようになる。
【００２３】
請求項１０に記載のコンピュータにより読み取り可能な記録媒体は、請求項１〜９のいずれかに記載した対話型教材作成支援プログラムを記録したことを特徴としている。
【００２４】
請求項１１に記載した対話型教材は、各種のデータを入力するための入力部と、表示部とを備えた教材作成装置によって対話型教材作成支援プログラムを実行することにより作成されたものであり、
設問群を入力する設問群入力欄，各設問の設問文を入力する設問文入力欄，設問に対する解答群を入力する解答群入力欄とともに、少なくとも選択された解答に関連する事項を入力する解説関連事項入力欄にそれぞれ入力された設問群，設問文，解答群及び少なくとも選択された解答に関連する事項を含む入力データに基づいて作成されたデータファイルと、  このデータファイルに基づき、設問群，設問文，解答群を表示部に表示して、その表示された解答群から解答を選択するよう促す表示処理手順，選択された解答に関連する事項を表示する表示処理手順を含む表示制御ファイルとを有してなることを特徴としている。
【００２５】
請求項１２に記載の対話型教材は、請求項１１に記載の対話型教材を、独立して実行することが可能な実行可能ファイルとしているので、例えばクライアント側コンピュータにおいて容易に実行させることができる。これにより、対話型教材を実行させるための他のプログラム等をインストールする等の煩雑な作業を行うことなく、速やかに学習することができる。
【００２６】
請求項１３に記載のコンピュータにより読み取り可能な記録媒体は、請求項１１又は１２に記載の対話型教材を記録したことを特徴としている。
【００２７】
請求項１４に記載した対話型教材作成システムは、各種のデータを入力するための入力部と、表示部とを備えた１又は２以上のクライアント側コンピュータが、電気通信回線を介してホスト側コンピュータに接続されており、
上記ホスト側コンピュータには、設問群を入力する設問群入力欄，各設問の設問文を入力する設問文入力欄，設問に対する解答群を入力する解答群入力欄とともに、少なくとも選択された解答に関連する事項を入力する解説関連事項入力欄を表示部に表示し、それら各欄にデータを入力させる入力画面表示処理と、入力された前記データに基づいてデータファイルを作成するデータファイル作成処理と、前記データファイルに基づき、設問群，設問文，解答群を表示して、その表示された解答群から解答を選択するよう促す表示処理手順，選択された解答に関連する事項を表示する表示処理手順を含む表示制御ファイルを作成する表示制御ファイル作成処理とを行わせるための対話型教材作成支援プログラムが、上記クライアント側コンピュータから実行可能に設定されていることを特徴としている。
この構成によれば、各クライアント側コンピュータにそれぞれ対話型教材作成支援プログラムを実行可能に設定することなく、対話型教材の作成を行うことができる。
【００２８】
請求項１５に記載の対話型教材作成システムは、請求項１４に記載したホスト側コンピュータには、対話型教材の作成に供する素材が、クライアント側コンピュータから利用可能に蓄積されるようになっており、
クライアント側コンピュータに、対話型教材の作成に必要な素材をホスト側コンピュータにアップロードする素材アップロード手段を設けた構成になっている。
【００２９】
請求項１６に記載の対話型教材作成システムは、請求項１４又は１５に記載したホスト側コンピュータに、対話型教材の作成を許された者であることを示す識別情報毎に、対話型教材を蓄積するための個別サーバ領域が形成されており、そのホスト側コンピュータに、クライアント側コンピュータから入力された識別情報が対話型教材の作成を許された者であることを示すものか否かを判別する識別情報判別手段と、その識別情報が対話型教材の作成を許された者であると判別したときには、クライアント側コンピュータから入力された識別情報に対応する個別サーバ領域への接続のみを許容する接続許容手段とを設けた構成になっている。
【００３０】
請求項１７に記載の対話型教材作成システムは、請求項１６に記載した対話型教材の作成を許された者であることを示す識別情報が、他の個別サーバ領域に関連付けられており、その識別情報が対話型教材の作成を許された者であると判別したときには、クライアント側コンピュータから入力された識別情報に対応する個別サーバ領域及び関連付けられている他の個別サーバ領域への接続が許容されることを特徴としている。
【００３１】
請求項１８に記載の対話型教材作成システムは、請求項１４〜１７のいずれかに記載のホスト側コンピュータに、対話型教材の使用を許された者であることを示す識別情報に対応して、対話型教材を蓄積する共通サーバ領域が形成されており、そのホスト側コンピュータに、クライアント側コンピュータから入力された識別情報が対話型教材の使用を許された者であることを示すものか否かを判別する識別情報判別手段と、その識別情報が対話型教材の使用を許された者であると判別したときには、上記共通サーバ領域への接続のみを許容する接続許容手段を設けた構成になっている。
【００３２】
請求項１９に記載の対話型教材作成システムは、請求項１４〜１７のいずれかに記載のホスト側コンピュータには、対話型教材の使用を許された者であることを示す識別情報に対応して、複数の対話型教材を蓄積する共通サーバ領域が形成されているとともに、それら複数の対話型教材がグループ化されており、そのホスト側コンピュータに、クライアント側コンピュータから入力された識別情報が対話型教材の使用を許された者であることを示すものか否かを判別する識別情報判別手段と、その識別情報が対話型教材の使用を許された者であると判別したときには、上記共通サーバ領域内の一のグループ化された複数の対話型教材への接続のみを許容する接続許容手段を設けた構成になっている。
【００３３】
請求項２０に記載の対話型教材作成システムは、請求項１６〜１９のいずれかに記載の個別サーバ領域に蓄積された対話型教材を共通サーバ領域に複製する複製手段を、ホスト側コンピュータに設けたことを特徴としている。
【００３４】
請求項２１に記載の対話型教材作成方法は、設問群を入力する設問群入力欄，各設問の設問文を入力する設問文入力欄，設問に対する解答群を入力する解答群入力欄とともに、少なくとも選択された解答に関連する事項を入力する解答関連事項入力欄を表示部に表示し、それら各欄にデータを入力させる入力画面表示処理と、入力された前記データに基づいてデータファイルを作成するデータファイル作成処理と、前記データファイルに基づき、設問文，解答群を表示して、その解答群から解答を選択するよう促す表示処理手順，選択された解答に関連する事項を表示する表示処理手順を含む表示制御ファイルを作成する表示制御ファイル作成処理とを行わせる対話型教材作成支援プログラムをホスト側コンピュータに実行可能に設定しておき、クライアント側コンピュータから入力された識別情報に基づき、そのクライアント側コンピュータを電気通信回線を介してホスト側コンピュータに接続し、対話型教材作成支援プログラムを実行することにより対話型教材を作成することを内容としている。
【発明の効果】
【００３５】
請求項１〜２１に記載の発明によれば、設問に対する解答群の中から解答を選択する形式の対話型教材をコンピュータの専門家ではない教材作成者でも簡単に作成することができる。
請求項１〜２１に記載の発明で得られる共通の効果に加え、各請求項に記載の発明によれば、次の各効果を得ることができる。
【００３６】
請求項１に記載した発明によれば、各設問に対して、設問文と、設問文に対する複数の解答からなる解答群と、各解答に関連する事項とを入力することにより、設問文、解答群を表示して解答の選択を促し、選択された解答に関連する事項を表示する処理を、設問群の各設問に対して行う対話型教材を作成できる。すなわち、入力画面表示処理により表示された各欄に、設問文、解答群等の各項目を入力するだけで対話型教材を作成することができる。
【００３７】
請求項２に記載した発明によれば、必要数の設問を作成してシナリオを構成し、各設問に対して、設問文と、設問文に対して行い得る医療行為を示した複数の解答からなる解答群と、各解答に示された医療行為により得られる医療行為結果と、各解答が選択された際に表示される解説と、各解答が選択されなかった際に表示される解説とを入力することにより、設問文、解答群を表示して解答の選択を促し、選択された解答に対応する医療行為結果、解説を表示するとともに選択されなかった解答に対応する解説を表示する処理を、設問群の各設問に対して行う対話型教材が作成される。すなわち、入力画面表示処理により表示された各欄に、設問文、解答群等の各項目を入力するだけで対話型教材を作成することができる。
すなわち、設問，設問種別，解答群，解答の最大選択数等を各入力欄に入力するのみにより、設問，解答等を自在に作成してシナリオを構成することにより、実際の医療現場において起こり得る様々な状況を再現した臨床シミュレーションのための対話型教材を簡単に作成することができる。
【００３８】
請求項３に記載した発明によれば、入力画面表示処理が、各設問について一つの解答を選択したときに医療行為結果入力欄に入力されたデータ等を表示させる一問一答形式、又は複数の解答を選択させる複数選択形式の設問種別を選択させる種別選択欄を表示部に表示して、その種別選択欄で、最大選択数を指定する最大選択数指定欄を表示部に表示できるので、各設問に対して最大選択数を設定することができる。
【００３９】
請求項５に記載した発明によれば、対話型教材を使用した学習者が解答を選択した場合及び選択しなかった場合に、解答に対して設定されている得点が加減算されるため、一問一答形式，複数選択形式のいずれの設問であっても点数を正確に計算することができる。
【００４０】
請求項６に記載した発明によれば、学習者が選択すべき解答を選択しなかった場合、選択してはならない解答を選択した場合、解答を選択する順序を過って選択した場合に即座に警告を表示することにより、学習者に誤りを即座に意識させるとともに、各設問間に矛盾が生じることを防止してシナリオの流れを忠実に再現することができる。
【００４１】
請求項７に記載した発明によれば、設問に必要な静止画，動画等の画像を指定する画像指定欄を表示し、その設問と併せて前記画像を表示することができるので、設問毎に適切な画像を表示することができる。
【００４２】
請求項８に記載した発明によれば、対話型教材作成支援プログラムを実行する処理装置と、その対話型教材作成支援プログラムを実行することによって生成したデータファイル及び表示制御ファイルを記憶する記憶装置とを有しているので、教材作成装置だけで対話型教材を作成することができる。
【００４３】
請求項９に記載した発明によれば、教材作成装置が、電気通信回線を介してサーバ装置に接続されており、その教材作成装置の処理装置に、データファイル及び表示制御ファイルをサーバ装置に送信するファイル送信処理を行わせているので、作成した対話型教材をサーバ装置に送信してサーバ装置上に蓄積できるとともに、電気通信回線を介して学習者に供給することができるようになる。
【００４４】
請求項１２に記載した発明によれば、対話型教材を、独立して実行することが可能な実行可能ファイルとしているので、例えばクライアント側コンピュータにおいて容易に実行させることができる。これにより、対話型教材を実行させるための他のプログラム等をインストールする等の煩雑な作業を行うことなく、速やかに学習することができる。
【００４５】
請求項１４に記載した発明によれば、各クライアント側コンピュータにそれぞれ対話型教材作成支援プログラムを実行可能に設定することなく、対話型教材の作成を行うことができる。
【００４６】
請求項１５に記載した発明によれば、クライアント側コンピュータに、対話型教材の作成に必要な素材をホスト側コンピュータにアップロードする素材アップロード手段を設けたことにより、対話型教材に必要な画像を選択して使用することができる。
【００４７】
請求項１８に記載した発明によれば、各個別サーバ領域のいずれかに対話型教材が蓄積されことにより、その対話型教材を共通サーバ領域に複製することができるので、学習者への対話型教材の提供を迅速に行うことができる。
【発明を実施するための最良の形態】
【００４８】
以下に、本発明を実施するための最良の形態について、図面を参照して説明する。図１は、本発明の第一の実施形態に係る対話型教材作成システムの全体構成を示す説明図、図２は、シナリオ作成手順を示すフローチャートである。
【００４９】
本発明の第一の実施形態に係る対話型教材作成システム（以下、たんに「システム」ともいう。）１は、図１に示すように、ホスト側コンピュータであるサーバ装置３に、ＬＡＮ（Ｌｏｃａｌ  Ａｒｅａ  Ｎｅｔｗｏｒｋ），インターネット等のネットワーク、すなわち電気通信回線を介してクライアント側コンピュータである教材作成装置（以下、「教材作成端末」という。）２及び学習端末４が接続された構成になっている。
【００５０】
教材作成端末２は、表示部２１、入力部２２、処理装置２３及び対話型教材作成支援プログラムやデータ等を記憶する記憶装置２４を有して構成されている。
表示部２１は液晶等で形成されたディスプレイであり、対話型教材を作成するために必要なデータを入力する各欄（設問入力欄、解答群入力欄等）の表示を行うものである。
入力部２２は、データ等の入力を行うキーボードやマウス等である。
【００５１】
本実施形態における「対話型教材」は、上記した各種のデータを入力するための入力部２２と、表示部２１とを備えた教材作成端末２によって対話型教材作成支援プログラムを実行することにより作成されるものであり、それは、設問群を入力する設問群入力欄，各設問の設問文を入力する設問文入力欄，設問に対する解答群を入力する解答群入力欄とともに、少なくとも選択された解答に関連する事項を入力する解答関連事項入力欄にそれぞれ入力された設問群，設問文，解答群及び少なくとも選択された解答に関連する事項を含む入力データに基づいて作成されたデータファイルと、このデータファイルに基づき、設問群，設問文，解答群を表示部に表示して、その表示された解答群から解答を選択するよう促す表示処理手順，選択された解答に関連する事項を表示する表示処理手順を含む表示制御ファイルとを有してなる。
すなわち、以下に詳述する適切な医療行為を学習するためのものに限られず、自然科学，社会科学及び人文科学を学習することができるものである。
なお、本実施形態における「医療行為」は、医師，歯科医師，看護師，歯科衛生士，臨床検査技師，歯科技工士等の医療従事者が業として行う行為、及び同行為に関連して医療従事者が行う、医療機関並びに一般社会における言動，判断，思考を含む概念である。
【００５２】
処理装置２３は、対話型教材作成支援プログラムを実行することにより、入力画面表示制御処理、データファイル作成処理、表示制御ファイル作成処理等を行うようになっている。
「入力画面表示処理」は、設問群を入力する設問群入力欄，各設問の設問文を入力する設問文入力欄，設問に対する解答群を入力する解答群入力欄とともに、少なくとも選択された解答に関連する事項を入力する解答関連事項入力欄を表示部に表示し、それら各欄にデータを入力させることを内容とした処理である。
さらに詳しくは、図５，７に示すように、設問群をシナリオとしてそのシナリオ名を入力するシナリオ名入力欄，シナリオを構成する設問群を入力する設問群入力欄，各設問の設問文を入力する設問文入力欄，設問に対する解答群を入力する解答群入力欄とともに、選択された解答に対応する医療行為の結果を入力する医療行為結果入力欄，選択された解答に対応する医療行為の必要性等の解説を入力する選択解答解説入力欄，及び選択されなかった解答に対応する医療行為の必要性等の解説を入力する非選択解答解説入力欄を表示し、それら各欄にデータを入力させることを内容とした処理である。
なお、上記した「解答関連事項入力欄」は、本実施形態においては、医療行為結果入力欄，選択解答解説入力欄，非選択解答解説入力欄を含む概念である。
【００５３】
「データファイル作成処理」は、入力された前記データに基づいてデータファイルを作成することを内容とした処理であり、より詳しくは、上記した入力画面表示処理において入力されたデータを前記シナリオ名に対応させてデータファイルを作成している。
【００５４】
「表示制御ファイル作成処理」は、データファイルに基づき、設問文，解答群を表示して、その解答群から解答を選択するよう促す表示処理手順，選択された解答に関連する事項を表示する表示処理手順を含む表示制御ファイルを作成することを内容とした処理である。
詳しくは、データファイルに基づき、設問群，設問文，解答群を表示して、その解答群から解答を選択するよう促す表示処理手順，選択された解答に対応する医療行為の結果及び選択された解答に対応する解説を表示する表示処理手順，選択されなかった解答に対応する解説を表示する表示処理手順を含む表示制御ファイルを作成する表示制御ファイル作成処理とを行わせている。
【００５５】
また、処理装置２３は、上記したデータファイル及び表示制御ファイルをサーバ装置３に送信するファイル送信処理を行う機能を有している。
換言すると、上記したデータファイル及び表示制御ファイルからなる対話型教材をサーバ装置３にアップロードするファイルアップロード機能を有している。
アップロードする対話型教材は、下記の記憶装置２４に記憶されているものや、一時ファイルとなっているものである。
【００５６】
記録装置２４は、大容量のハードディスク等をコンピュータにより読み取り可能な記録媒体としたものであり、その記録媒体に、詳細を後述する対話型教材作成支援プログラムを磁気的に記録するとともに、その対話型教材作成支援プログラムにより作成した対話型教材を記録している。
記録媒体としては、上記したハードディスクに限るものではなく、フロッピィーディスク，コンパクトディスク，ディジタルビデオディスク，光磁気ディスク，可搬型ハードディスク，可搬型メモリ等のものが含まれる。
【００５７】
なお、上記システム１においては、教材作成端末２を電気通信回線に１台だけ接続したものとして説明しているが、２台以上の教材作成端末２を接続した構成にしてもよいことは勿論である。
【００５８】
上記した教材作成端末２は、Ｗｅｂページを作成するための言語であるＨＴＭＬ（ＨｙｐｅｒＴｅｘｔ  Ｍａｒｋｕｐ  Ｌａｎｇｕａｇｅ）等により作成された画面を表示するとともに、ＪａｖａＳｃｒｉｐｔ（登録商標）等のスクリプト言語による簡易プログラムを実行することができるＷｅｂブラウザを有している。
【００５９】
サーバ装置３は、電気通信回線を介してデータファイル等のデータの配信を行うＷｅｂサーバ３１、教材データベースサーバ３２、履歴データベースサーバ３３よりなる。
教材データベースサーバ３２は、１の学習目的を達成するための設問群からなるシナリオを保持するシナリオテーブル、登録された用語を保持する用語テーブル、設問作成に使用する静止画，動画等の素材を保持する素材テーブルを有するデータベースサーバである。
【００６０】
また、履歴データベースサーバ３３は、対話型教材の使用を許された者である学習者が対話型教材により学習を行った際の各設問における得点等の得点履歴を保持する得点履歴テーブルを有するデータベースサーバである。
さらに、履歴データベースサーバ３３では、各学習者の対話型教材の実行日時とその時の得点等を保持した学習者の理解度評価テーブル、得点履歴テーブルに格納されたデータから計算された各設問の正解率等を保持する設問の難易度評価テーブルが設けられている。
【００６１】
学習端末４は、教材作成端末２のものと同様の、表示部、入力部、処理装置、記憶装置を有する情報処理端末であり、処理装置では教材作成端末２により作成された対話型教材の実行が可能である。
【００６２】
上記したシステム１によれば、教材作成に必要な設問、解答等に関する各データを入力したり、表示される画像を指定したりすることにより、対話型教材の作成が行える。
対話型教材作成支援プログラムは、アプリケーションソフトの開発に用いられ、特にＧＵＩ処理に優れた言語である、ＶｉｓｕａｌＢａｓｉｃ（登録商標）、Ｊａｖａ（登録商標）等により作成され、対話型教材作成に必要なデータの入力欄を表示し、その入力欄に入力されたデータを項目毎に整理してＸＭＬ（ｅＸｔｅｎｓｉｂｌｅ  ＭａｒｋｕｐＬａｎｇｕａｇｅ）等のデータファイルに変換し、同時に、ＨＴＭＬ、ＪａｖａＳｃｒｉｐｔ（登録商標）等のブラウザ上でデータファイルを読み込んで動作するファイル等を作成するものである。
【００６３】
以下に、本システムを用いて対話型教材を作成する手順について説明する。まず、シナリオを作成する手順について、上記した図２とともに、図３〜図１２を参照して説明する。図３は、図２の設問作成ステップのフローチャート、図４は、シナリオ作成画面の説明図、図５は、シナリオ名入力画面の説明図、図６は、設問作成画面の説明図、図７は、シナリオ作成中のシナリオ作成画面（一問一答形式（単一選択）、複数選択形式）の説明図、図８は、シナリオ作成中のプレビュー画面の説明図、図９は、シナリオ作成中のシナリオ作成画面（位置選択形式）の説明図、図１０は、シナリオ作成中の選択領域編集画面の説明図、図１１は、シナリオ作成中のシナリオ作成画面（関連事項解説）の説明図、図１２は、シナリオ作成画面に入力されたデータの項目表である。
【００６４】
図２に示すように、対話型教材の作成を許された者である教材作成者は、以下のステップＳ１〜Ｓ７に沿って対話型教材を作成する。
ステップＳ１はシナリオ名作成ステップである。対話型教材作成支援プログラムを起動すると、処理装置２３により入力画面表示処理が実行され、表示部２１に図４に示すようなシナリオ作成画面５が表示される。シナリオ作成画面５は、メニュー選択部５１、設問入力／表示部５２、画像選択／表示部５３、設問文入力／表示部５４、解答入力／表示部５５、解説入力／表示部５７よりなる。
【００６５】
メニュー選択部５１の「ファイル」をクリックするとコマンドリストが表示され、そのリストから「新規作成」を選択すると、図５に示すシナリオ名入力画面５９１が新規に作成された別ウィンドウにて表示される。シナリオ名入力画面５９１は、シナリオ名を入力するシナリオ名入力欄５９１１、ＯＫボタン５９１２、キャンセルボタン５９１３を有している。
【００６６】
シナリオ名入力欄５９１１に例えば「症例１」というシナリオ名を入力してＯＫボタン５９１２をクリックすると、新規シナリオ「症例１」に必要な各データを格納する「症例１」という名前のフォルダが作成され、同時に「症例１」フォルダ内にデータファイルが作成される。そして、シナリオ名入力画面５９１のウィンドウが閉じられる。また、キャンセルボタン５９１３をクリックすると、上記フォルダ、データファイルは作成されずにシナリオ名入力画面５９１のウィンドウが閉じられる。
【００６７】
ステップＳ２は設問群作成ステップであり、ステップＳ３は設問群作成ステップＳ２により作成された各設問について詳細を設定する設問作成ステップである。図３に示すように、設問作成ステップＳ３は、設問名・設問種別入力ステップＳ３１、設問詳細作成ステップＳ３２、解答群作成ステップＳ３３、解答作成ステップＳ３４、及びプレビュー作成ステップＳ３５からなる。なお、設問名・設問種別入力ステップＳ３１は設問群作成ステップＳ２と同時に行われる。
【００６８】
設問群作成ステップＳ２では、メニュー選択部５１の「編集」をクリックすると表示されるコマンドリストから「設問追加」を選択すると、図６に示す設問作成画面５９２が新規に作成された別ウィンドウにて表示される。設問作成画面５９２は、設問名を入力する設問名入力欄５９２１、「単一選択」、「複数選択」、「位置選択」、「関連事項解説」の中から一つの設問種別を選択する設問種別選択欄５９２２、ＯＫボタン５９２３、キャンセルボタン５９２４を有している。
【００６９】
設問名入力欄５９２１に例えば「現症」という設問名を入力し、設問種別選択欄５９２２において「複数選択」を選択してＯＫボタン５９２３をクリックすると設問「現症」が作成される。図７に示すように、設問入力／表示部５２の設問群入力欄５２１に「現症」と「現症（解説）」とが表示され、設問種別表示部５２２に「複数選択」と「解説」とが表示されるとともに、データファイル作成処理が実行される。すなわち、設問毎に設定された設問種別等のデータが上記の「症例１」フォルダ内のデータファイルに格納される。そして、設問作成画面５９２のウィンドウが閉じられる。設問群入力欄５２１には「現症」という設問とともに、その設問に対する解説である「現症（解説）」という設問も表示されているが、設問、解説の作成は同画面上で行われる。また、ＯＫボタン５９２３の替わりにキャンセルボタン５９２４をクリックした場合は、設問は作成されずに上記別ウィンドウが閉じられる。なお、作成された設問群は、設問群入力欄５２１上において各設問の設問名をマウスでドラッグすることにより、各設問の順序を入れ替えることができる。
【００７０】
設問詳細作成ステップＳ３２では、始めに、設問群入力欄５２１において設問名をクリックすることにより、詳細を作成する設問を選択する。設問詳細作成ステップＳ３２については設問種別毎に説明する。
【００７１】
その設問の設問種別が一問一答形式（単一選択）、複数選択形式であった場合は、シナリオ作成画面５は図７に示すようなレイアウトとなる。設問文入力ボタン５４２をクリックすると設問文入力欄５４１が表示され、その設問文入力欄５４１に例えば「ステータス・・・選択してください。」という医療行為に対する設問文を入力する。また、ボタン名入力ボタン５４３をクリックするとボタン名入力欄（図示せず）が表示され、そのボタン名入力欄に例えば「次へ」というボタン名を入力する。
【００７２】
画像セットボタン５３２をクリックすると画像リストを有する画像指定欄（図示せず）が表示され、その画像リストから使用したい画像を選択すると、画像表示部５３１に選択された画像が、画像名表示部５３３に画像名がそれぞれ表示される。なお、１つの設問に対して、複数の画像を指定することができる。
【００７３】
最大選択数指定欄５６１に最大選択数を入力することができる。このとき最大選択数変更ボタン５６２をクリックすることによっても数値を上下させることも可能である。なお、最大選択数を解答数と等しくすることにより選択数を無制限とすることもできる。また、最大選択数は選択数の単なる上限であり、必ずしも学習者による選択数が最大選択数と等しくなる必要はない。
【００７４】
次に、解答群作成ステップＳ３３、解答作成ステップＳ３４を説明する。解答作成ステップＳ３４では、解答文入力ステップＳ３４１と解答詳細作成ステップＳ３４２よりなる。
【００７５】
解答群作成ステップＳ３３では、解答追加ボタン５５１２をクリックすることにより、新規解答が追加され、解答群入力欄５５１１にその解答の解答文が表示される。なお、解答を作成した段階では解答文は設定されていないので、予め設定された規定文が表示されている。解答を削除する場合は、解答文をクリックすることによりその解答が選択された状態にして解答削除ボタン５５１３をクリックすると、その解答が解答群入力欄５５１１から削除される。
【００７６】
解答文入力ステップＳ３４１では、解答文の入力を行う。解答群入力欄５５１１に表示された解答文をクリックすると、その解答文が編集可能な状態になるので、例えば「左右上顎・・・測る」という医療行為を示す解答文を入力する。
【００７７】
解答詳細作成ステップＳ３４２では、解答の詳細として、医療行為結果、選択時や非選択時の解説、選択時や非選択時の得点等の入力を行う。始めに、解答文をクリックすることにより詳細を作成したい解答が選択された状態にする。
【００７８】
設問が「検査」のような即座な反応を有する医療行為に関するものであり、選択後に即座に検査結果を表示したい場合に、その解答に対する医療行為結果入力欄５７１に医療行為結果を入力する。例えば、「左右上顎・・・測る」の解答文に対して「最深部で３ｍｍでした」との医療行為結果を入力すると、実行時に上記「左右上顎・・・測る」の解答が選択された時に「最深部で３ｍｍでした。」との医療行為結果が表示される。なお、選択直後に即座に表示すべき情報が無い場合には、医療行為結果入力欄５７１には何も入力しない。
【００７９】
選択時解説入力欄５７２に解答の選択時に表示する選択時解説を入力する。選択時得点入力欄５７３には、点数計算を行うため、解答の選択時に点数として加算される選択時得点を入力する。また同様に、各解答に対して、非選択時解説入力欄５７４に解答の非選択時に表示する非選択時解説を入力し、非選択時得点入力欄５７５に解答の非選択時に点数として加算される非選択時得点を入力する。
【００８０】
このとき、選択時解説入力欄５７２、非選択時解説入力欄５７４に何も入力されなかった場合は、それぞれ選択された時、選択されなかった時に解説表示を行わず、同様に、選択時得点入力欄５７３、非選択時得点入力欄５７５に何も入力されなかった場合は、それぞれ選択された時、選択されなかった時に得点の加算は行われない。なお、選択時得点、非選択時得点は加点に限らず、減点であっても構わない。
【００８１】
さらに、この設問において必ず選択されなければならない解答（必須解答）が存在する場合に、必須解説入力ボタン５４４をクリックすると、必須解答指定欄（図示せず）、必須解説入力欄（図示せず）がそれぞれ表示される。必須解答指定欄には解答群が表示されていて、その中から必須解答を指定する。必須解説入力欄には、必須解答が選択されなかった際に表示する解説を入力する。
【００８２】
同様に、この設問において絶対に選択されてはならない解答（除外解答）が存在する場合に、除外解説入力ボタン５４５をクリックすると、除外解答指定欄（図示せず）、除外解説入力欄（図示せず）がそれぞれ表示される。除外解答指定欄には解答群が表示されていて、その中から除外解答を指定する。除外解説入力欄には、除外解答が選択された際に表示する解説を入力する。
【００８３】
さらに同様に、この設問において解答の選択されるべき順序（解答順序）が存在する場合に、解答順序解説入力ボタン５４６をクリックすると、解答順序指定欄（図示せず）、解答順序解説入力欄（図示せず）がそれぞれ表示される。解答順序指定欄には解答群が表示されていて、各解答の選択されるべき順序を指定する。解答順序解説入力欄には、各解答が解答順序を過って選択された際に表示する解説を入力する。
【００８４】
次に、設問種別が「位置選択」であった場合について説明する。シナリオ作成画面５は図９に示すようなレイアウトとなる。画像選択ボタン５５２３をクリックすることにより表示された画像リストの中から表示したい画像を選択すると、選択された画像が位置選択画像表示部５５２１に、画像名が選択画像名表示部５５２２に表示される。
【００８５】
編集ボタン５５２４をクリックすると図１０に示す選択領域編集画面５５４が別ウィンドウにて表示される。領域指定欄５５４５には画像選択ボタン５５２３により選択された画像が表示される。そして、追加ボタン５５４１により領域を追加すると、領域名表示部５５４３に領域名が、領域色表示部５５４４に画像中に領域を表示する領域色がそれぞれ表示される。
【００８６】
領域色を変更する場合には領域色表示部５５４４をクリックすることにより色のパレットが表示され、パレット上の使用したい色をクリックすると領域色が選択される。また、領域名を変更する場合は、領域名表示部５５４３をクリックすると領域名表示部５５４３上において領域名のテキスト編集が可能となる。
【００８７】
また、領域名表示部５５４３をクリックしてその領域が選択された状態にし、領域指定欄５５４５上の複数の座標をクリックすると、それらのクリックされた点が自動的に結ばれ、二次元の多角形状の選択領域が作成される。
【００８８】
なお、領域が設定されている場合は、領域名表示部５５４３がクリックされると選択された領域が領域指定欄５５４５上に表示される。一方、全表示ボタン５５４６がクリックされると、設定されている全領域が同時に領域指定欄５５４５上に表示される。
【００８９】
さらに、設定されている領域を削除する場合は、領域名表示部５５４３をクリックしてその領域が選択された状態にし、削除ボタン５５４２をクリックすることにより、領域名表示部５５４３、領域色表示部５５４４においてその領域が削除される。
【００９０】
なお、選択領域編集画面５５４とシナリオ作成画面５とは常に同期がとられ、選択領域編集画面５５４上での編集に応じてシナリオ作成画面５の内容は随時、同様に書き換えられている。なお、シナリオ作成画面５の選択領域名リスト表示部５５２５には、領域名表示部５５４３、領域色表示部５５４４と同様の内容が表示される。
【００９１】
最後に、設問種別が「関連事項解説」であった場合について説明する。シナリオ作成画面５は図１１に示すようなレイアウトとなる。関連事項解説入力欄５５３に関連事項解説を入力することにより、シナリオ中に関連事項解説や説明文を挿入する。この設問種別は解説を表示するのみのものであり、解答を促すものではない。
【００９２】
なお、プレビュー作成ボタン５８２をクリックすることにより、随時プレビュー画面を作成することができる。プレビュー作成ボタン５８２をクリックすると、処理装置２３によりデータファイル作成処理、表示制御ファイル作成処理が実行される。すなわち、そのクリック時に入力されている全データがデータファイル内に格納されるとともに、そのデータファイルを読み込んで動作する表示制御ファイルが作成される。そして、図８に示すように、それらのファイルは実行されてシナリオ作成画面５上に表示される。そのとき、作成画面表示ボタン５８１をクリックすることにより、再びプレビュー作成ボタン５８２をクリックする直前の作成画面を表示させることができる。
【００９３】
Ｓ４はデータ変換ステップであり、Ｓ５は保存ステップである。
メニュー選択部５１の「ファイル」をクリックすると表示されるコマンドリストから「保存」を選択すると、処理装置２３によりデータファイル作成処理、表示制御ファイル作成処理が実行される。すなわち、上記と同様に、各欄に入力されている全データが図１２に示すように項目毎に抽出されてデータファイルに格納され、同時に、そのデータファイルを読み込んで動作する表示制御ファイルが作成される。そして、それらのファイルは記憶装置２４の補助記憶装置に保存される。なお、この変換ステップＳ４、保存ステップＳ５は各欄の入力毎に行われてもよい。
【００９４】
ステップＳ６は実行テストステップである。実行テストステップＳ６では、保存ステップＳ５により保存された表示制御ファイルを起動し、一通りの実行テストを行う。このステップは省略することも可能であるが、下記のアップロードステップＳ７を行う前には必ず行われることが望ましい。
【００９５】
Ｓ７はアップロードステップである。メニュー選択部５１より「ツール」をクリックすると表示されるコマンドリストの中から「アップロード」を選択すると、処理装置２３によりファイル送信処理が実行される。すなわち、作成したデータファイル及び表示制御ファイルが教材データベースサーバ３２にＦＴＰ（Ｆｉｌｅ  Ｔｒａｎｓｆｅｒ  Ｐｒｏｔｏｃｏｌ）等の通信により送信されて、教材データベースサーバ３２のデータベースに格納される。これにより、作成された対話型教材がネットワークを介して配信可能となる。
【００９６】
以上のステップにより、処理装置２３によって表示部２１に表示されたシナリオ作成画面５等の各欄に、設問文、解答群、医療行為結果、解説等の、対話型教材に必要な項目を入力することにより、コンピュータの知識がなくても容易に対話型教材を作成することができる。
【００９７】
なお、上記ステップの他に、本形態には用語登録機能が付加されている。シナリオ作成画面５のメニュー選択部５１の「ツール」をクリックして「用語集」を選択すると、新規の別ウィンドウにて用語入力欄（図示せず）が表示される。その用語入力欄に、用語、読み、症例、作成者、英語、説明等を入力することにより用語が登録される。このとき、必要に応じて各用語に説明に必要な画像を登録することもできる。なお、登録された用語は解答者により必要な時に検索されて表示される。
【００９８】
また、以前に作成された既存シナリオを後から修正することもできる。その際には、メニュー選択部５１の「ファイル」をクリックすると表示されるコマンドリストから「開く」選択して、さらに、表示されたファイルリストから既に上記ステップにより作成されているシナリオファイルが格納されているフォルダを選択する。それにより、データファイルから各々のデータが抽出されて、各欄に表示され、上記Ｓ２〜Ｓ７のステップを再度行うことができる。
【００９９】
次に、作成されたシナリオを実行する手順について、図１３〜図１６に基づいて説明する。図１３は、プログラム実行時のシナリオ実行画面の図、図１４は、プログラム実行時の履歴表示時のシナリオ実行画面の図、図１５は、用語検索画面の図、図１６は、得点履歴表示画面の図である。
【０１００】
上記のようにして作成された対話型教材を実行すると、以下に示す表示処理等の各処理が処理装置により行われ、以下に示すシナリオ実行画面等の各画面が出力装置に表示される。また、入力部により解答の選択等が行われる。
【０１０１】
始めに、シナリオ名のリストを有するシナリオ選択画面（図示せず）が表示される。そのリストは、例えば、卒前学生レベル、卒直後臨床研修医レベル、一般歯科医師レベル、専門医レベルのような教材レベル毎に区分けされた、各々のシナリオを示すシナリオ名のリストである。そして、いずれかのシナリオが選択されると、設問が開始される。その際の実行画面の１例として、図１３に複数選択の設問の実行例であるシナリオ実行画面８を示す。シナリオ実行画面８は、画像表示／再生部８２、設問表示部８３、解答表示部８４を有し、右側上部には得点履歴を表示する得点履歴ボタン８１１、用語集を表示する用語集ボタン８１２、操作方法等の説明を表示するヘルプボタン８１３、シナリオを終了させる終了ボタン８１４が常に表示され、また、左側中央部には解答ボタン８５１、履歴表示ボタン８５２が常に表示されている。
【０１０２】
画像表示部８２１には設問や解答、解説に適した画像が表示され、画像番号表示部８２２には表示されている画像の番号が表示される。このとき、戻るボタン８２３、進むボタン８２４により、表示される画像を変更することができる。また、選択されている画像が動画だった場合には、再生ボタン８２５、停止ボタン８２６、巻戻しボタン８２７により動画の再生、停止、巻戻しを行うことができる。また、拡大ボタン８２８により、静止画または動画の拡大を行うことができる。
【０１０３】
設問表示部８３は、設問文が表示される設問文表示部８３１、選択状況表示部８３２、完了ボタン８３３よりなる。選択状況表示部８３２には選択可能な解答数が表示されていて、完了ボタン８３３をクリックすることにより選択は完了する。なお、完了ボタン８３３に表示されている文字は、ボタン名入力欄に入力された文字である。また、最大選択数指定欄５６１に入力された数より多い解答数を選択することはできないが、その数に満たない場合でも解答を完了することができる。
【０１０４】
解答表示部８４は、解答選択部８４１と選択解答・医療行為結果表示部８４２からなる。解答選択部８４１に表示された解答文をクリックすると、選択解答・医療行為結果表示部８４２に解答文及びそれに対する医療行為結果が表示され、解答選択部８４１から選択された解答文は削除される。
【０１０５】
解答例を具体的に説明すると、設問文表示部８３１に表示されている「ステータスおよびデンタルＸ線写真を撮影しました。次に行う行為として有効と考えられるものを５つ選択してください」の設問に対して、解答選択部８４１には以下の解答文が表示されている。
（１）左右上顎前歯部（犬歯から犬歯）のポケットを測る
（２）左右上顎前歯部（犬歯から犬歯）打診を行う
（３）歯髄診断（電気診断）
（４）歯肉の触診
（５）治療を始める
（６）前歯部口蓋部から穿刺吸引する
（７）咬合診査
（８）薬を出して診察を終える
【０１０６】
この設問は８つの選択肢のなかから５つを選択させるものである。学習者が、例えば、解答（１）（２）（３）（４）（５）を順に選択していったとすると、選択解答・医療行為結果表示部８４２に、解答（１）の解答文、それに対する医療行為結果である「最深部で３ｍｍでした」、解答（２）の解答文、それに対する医療行為結果である「右上顎中切歯と、左上顎中切歯、側切歯が垂直水平とも多少ひびくようです」等、医療行為結果が次々に表示されていく。
【０１０７】
そして、完了ボタン８３３がクリックされると解説に移り、解答（１）〜（５）に対してそれぞれ「歯周病の有無を調べるのに必要です」等の解説が表示されてそれぞれ選択された解答に設定された選択時得点が加算される。
また、例えば出題者が選択してほしかった解答が解答（６）であったならば、解答（６）を選択しなかったことに対して「顎骨に欠損を認める嚢胞性病変を疑う場合には必要な検査です」等の解説が表示されて、解答（６）に設定された非選択時得点が加算される。
【０１０８】
解説表示後に再び完了ボタン８３３がクリックされると、次の問題の設問文、解答群等が表示されて上記の手順が繰り返され、最終的に総合得点が表示される。このとき同時に「保存」ボタン、「印刷」ボタン、「終了」ボタンが表示され、「保存」ボタン押下時には上記の設問、解答、解説、得点等が適当なフォーマットに変換されて学習端末４の補助記憶装置に記憶される。「印刷」ボタンをクリックすると上記と同様にフォーマット変換されたデータが印刷される。そして最後に「終了」ボタンをクリックすると、ポップアップウィンドウにより得点等の履歴をアップデートするか否か質問され、アップデートすることを選択した場合には得点等の履歴が履歴データベースサーバ３３に送信される。
【０１０９】
上記に説明した設問は複数選択であるが、設問が一問一答形式（単一選択）であった場合も上記と同様であり、設問が位置選択であった場合も選択肢が文字ではなく画像の領域で設定されること以外、上記と同様である。
【０１１０】
また、設問が位置選択であった場合は解答選択部８４１に画像が表示されて、その画像上の座標をクリックすることにより位置座標による解答が行われ、その解答に対する医療行為結果が表示される。
【０１１１】
また、設問が関連事項解説であった場合は解答選択部８４１にその解説文が表示される。
【０１１２】
履歴表示ボタン８５２をクリックすると、図１４に示すように、解答表示部８４に履歴として設問文、選択された解答文、解答文に対する医療行為結果が時間軸に沿って表示された履歴表示部８４３が表示される。そして、解答ボタン８５１をクリックすると、履歴表示ボタン８５２のクリック直前の解答画面が再度表示される。
【０１１３】
なお、図１５は、シナリオ実行画面８の用語集ボタン８１２にリンクされた用語検索画面９１である。用語検索画面９１は全て表示ボタン９１１、頭文字選択部９１２、用語選択部９１３、用語表示部９１４、用語解説表示部９１５よりなる。すべて表示ボタン９１１がクリックされると用語選択部９１３には登録されている用語が全て表示され、頭文字選択部９１２による頭文字がクリックされると、選択された文字を頭文字とする用語が表示される。用語選択部９１３上の用語がクリックされると用語表示部９１４にその用語が表示され、用語解説表示部９１５に用語解説が表示される。
【０１１４】
図１６は、シナリオ実行画面８の得点履歴ボタン８１１にリンクされた得点履歴表示画面９２である。得点履歴表示画面９２は、実施日表示部９２１、解答者表示部９２２、得点表示部９２３よりなる。
【０１１５】
本形態では、各設問について解答文を選択すると医療行為結果が表示され、完了ボタン８３３をクリックすると解説が表示されるようなシナリオを作成したが、これに限らず、解答文を選択すると医療行為結果が表示されるが解説は全設問が終了した後にまとめて表示させたり、いくつかの設問が終了した後の指定された段階でまとめて解説を表示させたりすることも可能である。
【０１１６】
また、シナリオ作成に際して、必ずしもステップ（１）〜（７）の手順に沿う必要はなく、状況に応じた順序で各ステップを行うことができる。
【０１１７】
なお、本発明の対話型教材作成支援プログラムをＷｅｂサーバ３１上に格納しておくことにより、そのプログラムをネットワークを介して実行し、対話型教材を作成することもできる。その際は、作成者が設問や解説に用いる画像等の素材を用意する必要がなく、サーバ装置３に置かれた素材や他の教材作成者が有する素材等を用いてシナリオを手軽に作成することができる。
【０１１８】
さらに、対話型教材は、Ｗｅｂブラウザ上で実行されるものに限らず、Ｊａｖａ（登録商標）等のアプリケーションとして作成されて、Ｗｅｂブラウザ等からダウンロードされたりＣＤ−ＲＯＭ等で配布されたりすることによりネットワークを介さず独立して実行されるものでもよい。
【０１１９】
本形態によると、学生が設問に対して選択した各解答について、それが適切であったか不適切であったか等をその選択した解答に応じて解説することができる。また、本来選択すべきであったにもかかわらず学生が選択しなかった解答についてもその必要性を解説することができるため、その項目が選択すべきであったこと、なぜ選択すべきであったか等を学生のその解答に応じて教えることができる。
【０１２０】
また、本形態は、問診や診査等の回数や診断行為、処置行為等の選択数を自在に設定し、選択させることができる等、シナリオを自由に設定できるため、臨床経験が得難い医歯部学生、研究員の学習、さらには、車両の運転練習、営業の練習等、経験が重要視される分野において有用である。
【０１２１】
次に、本発明の第二の実施形態に係る対話型教材作成システムについて、図面を参照して説明する。図１７は、本発明の第二の実施形態に係る対話型教材作成システムの全体構成を示す説明図、図１８は、ホスト側コンピュータのＷｅｂサーバと教材データベースサーバの概略構成を示すブロック図である。
【０１２２】
本発明の第二の実施形態に係る対話型教材作成システムＡは、図１７に示すように、ホスト側コンピュータであるサーバ装置１０に、ＬＡＮ（Ｌｏｃａｌ  Ａｒｅａ  Ｎｅｔｗｏｒｋ），インターネット等のネットワーク、すなわち電気通信回線を介してクライアント側コンピュータである教材作成端末１１及び学習端末１２が接続された構成になっている。
【０１２３】
本実施形態における「対話型教材」は、設問に対する解答群の中から解答を選択する形式のものであり、前述した第一の実施形態において説明したものと同様に、自然科学，社会科学及び人文科学を学習するためのものである。
「クライアント側コンピュータ」は、教材作成端末１１と学習端末１２を含む概念のものである。
すなわち、教材作成端末１１と学習端末１２は、これらの設置場所等に応じて異なる名称を付しているものであり、それらの端末を使用するときに、特定の利用者が、自己に付与された下記の識別情報を入力部から入力することにより、その教材作成端末を学習端末として、また、同様にして学習端末を教材作成端末として使用することができる構成になっている。
なお、教材作成端末１１を、対話型教材の作成のみを行うことができる構成にし、また、学習端末１２を、対話型教材を用いた学習のみを行うことができる構成にしてもよい。
【０１２４】
「特定の利用者」は、利用の態様に関連付けられたアカウント等の識別情報を、詳細を後述する例えばサーバ装置１０の管理者等から有償又は無償で予め付与されるものである。
「利用の態様」は、対話型教材の作成、対話型教材の使用、対話型教材のクライアント側コンピュータへのダウンロード、又はそれらの組み合わせを許された者である。
「識別情報」は、識別情報Ｉと識別情報ＩＩとに区分されており、それらのうち識別情報Ｉは、対話型教材の作成、及びその対話型教材のクライアント側コンピュータへのダウンロードを許されていることを示し、また、識別情報ＩＩは、対話型教材の使用を許されていることを示している。
【０１２５】
教材作成端末１１は、表示部１１ａ、入力部１１ｂ、処理装置１１ｃ及びデータ等を記憶する記憶装置１１ｄを有して構成されており、特定の利用者が、自己に付与された識別情報を入力部１１ｂから入力し、サーバ装置１０が、その入力された識別情報が真性のものであるか否かを判定し、この判定結果が真性のものであるときにのみ使用できるようになっている。
【０１２６】
表示部１１ａは液晶等からなるディスプレイであり、対話型教材を作成するために必要なデータを入力する各欄（設問入力欄、解答群入力欄等）の表示とともに、Ｗｅｂページを作成するための言語であるＨＴＭＬ（ＨｙｐｅｒＴｅｘｔ  Ｍａｒｋｕｐ  Ｌａｎｇｕａｇｅ）等により作成された画面等の表示を行えるようになっている。
入力部１１ｂは、上記した各欄へのデータや識別情報等の入力を行えるものであり、キーボードの他、マウス，タッチパネルやペンタブレット等の公知の構成のものを含む。
【０１２７】
処理装置１１ｃは、本教材作成端末１１の制御中枢となるものであり、ＪａｖａＳｃｒｉｐｔ（登録商標）等のスクリプト言語による簡易プログラム等を実行することができるＷｅｂブラウザを有しているとともに、次の機能を備えている。
・対話型教材の作成に必要な素材をホスト側コンピュータにアップロードする機能（素材アップロード手段）。
「対話型教材の作成に必要な素材」は、第一の実施形態において説明したものと同じく、設問作成に使用する静止画，動画等の素材のことである。
【０１２８】
次に、サーバ装置１０について説明する。
サーバ装置１０は、図１７に示すように、Ｗｅｂサーバ１３、教材データベースサーバ１４及び履歴データベースサーバ１５よりなる。
【０１２９】
教材データベースサーバ１４は所謂ファイルサーバであり、図１８に示すように、個別サーバ領域１４ａ，１４ｂ，１４ｃと、共通サーバ領域１４ｄとが区画形成されている。
個別サーバ領域１４ａ，１４ｂ，１４ｃは、上記した識別情報Ｉに一対一で対応付けられており、それぞれ対話型教材の作成を許されていることを示す識別情報Ｉを付与された特定の利用者のみが接続できるようになっている。
本実施形態において「対話型教材」は、第一の実施形態において説明した、模擬病状に対する診査，診断，処置等の医療行為を問う設問とともに、その設問に対して想定される医療行為が複数列挙された解答群の中から解答を選択することにより適切な医療行為を学習するためのものである。
【０１３０】
個別サーバ領域１４ａ，１４ｂ，１４ｃには、それぞれ１の学習目的を達成するための設問群からなるシナリオを保持するシナリオテーブル１９ａ、登録された用語を保持する用語テーブル１９ｂ、設問作成に使用する静止画，動画等の素材を保持する素材テーブル１９ｃがそれぞれ格納されているとともに、作成した対話型教材２０…が蓄積されている。
なお、本実施形態においては３つの個別サーバ領域を区画形成した構成を例として説明しているが、これに限るものではなく、対話型教材を作成することができる特定の利用者、すなわち、対話型教材を作成することができることを示す識別情報に応じて区画形成されるようになっている。
換言すると、対話型教材の作成を許された者であることを示す識別情報とサーバ領域とが一対一の関係になっている。
【０１３１】
共通サーバ領域１４ｄは、識別情報ＩＩに対応づけられており、対話型教材の使用を許されている特定の利用者、及びシステム管理者だけが接続できるようになっている。この共通サーバ領域１４ｄには、各個別サーバ領域１４ａ，１４ｂ，１４ｃに蓄積された対話型教材の複製が作成されるようになっている。
換言すると、識別情報ＩＩを付与されている複数からなる特定の利用者は、共通サーバ領域１４ｄにのみ接続できるようになっている。
【０１３２】
次に、Ｗｅｂサーバ１３について説明する。
Ｗｅｂサーバ１３は、第一の実施形態において詳述したものと同等の構成からなる対話型教材作成支援プログラムが実行可能に設定されている。「実行可能に設定」とは、インストールやセットアップとほぼ同義である。
対話型教材作成支援プログラムは、ＶｉｓｕａｌＢａｓｉｃ（登録商標），Ｊａｖａ（登録商標）等により作成され、対話型教材の作成に必要なデータの入力欄を表示し、その入力欄に入力されたデータを項目毎に整理してＸＭＬ（ｅＸｔｅｎｓｉｂｌｅ  ＭａｒｋｕｐＬａｎｇｕａｇｅ）等のデータファイルに変換し、同時に、ＨＴＭＬ，ＪａｖａＳｃｒｉｐｔ（登録商標）等のブラウザ上でデータファイルを読み込んで動作するファイル等を作成するものであることは、第一の実施形態において説明したとおりである。
【０１３３】
上記の対話型教材作成支援プログラムを実行することにより、Ｗｅｂサーバ１３、従ってまたホスト側コンピュータは、次のような機能を実現する。
・設問に対する解答群の中から解答を選択する形式の対話型教材を作成する機能（教材作成手段１３ａ）。
具体的には、設問群を入力する設問群入力欄，各設問の設問文を入力する設問文入力欄，設問に対する解答群を入力する解答群入力欄とともに、少なくとも選択された解答に関連する事項を入力する解答関連事項入力欄を表示部に表示し、それら各欄にデータを入力させる入力画面表示処理と、入力された前記データに基づいてデータファイルを作成するデータファイル作成処理と、前記データファイルに基づき、設問群，設問文，解答群を表示して、その表示された解答群から解答を選択するよう促す表示処理手順，選択された解答に関連する事項を表示する表示処理手順を含む表示制御ファイルを作成する表示制御ファイル作成処理とを行わせるようになっている。
【０１３４】
本実施形態における対話型教材は、設問群を入力する設問群入力欄，各設問の設問文を入力する設問文入力欄，設問に対する解答群を入力する解答群入力欄とともに、少なくとも選択された解答に関連する事項を入力する解答関連事項入力欄にそれぞれ入力された設問群，設問文，解答群及び少なくとも選択された解答に関連する事項を含む入力データに基づいて作成されたデータファイルと、このデータファイルに基づき、設問群，設問文，解答群を表示部に表示して、その表示された解答群から解答を選択するよう促す表示処理手順，選択された解答に関連する事項を表示する表示処理手順を含む表示制御ファイルとを有してなるものであり、それらのファイルは、Ｗｅｂサーバ１３，教材作成端末１１及び学習端末１２において実行可能な所謂実行形式にして形成されている。
【０１３５】
敷衍すると、対話型教材は、一の学習目的を達成するための設問群をシナリオとしてそのシナリオ名を入力するシナリオ名入力欄、シナリオを構成する設問群を入力する設問群入力欄、各設問の設問文を入力する設問文入力欄、設問に対する解答群を入力する解答群入力欄を表示し、さらに、選択された解答に対応する医療行為の結果を入力する医療行為結果入力欄、選択された解答に対応する医療行為の必要性等の解説を入力する選択解答解説入力欄、及び選択されなかった解答に対応する医療行為の必要性等の解説を入力する非選択解答解説入力欄を表示して、各データを入力させる入力画面表示処理と、入力された前記データを前記シナリオ名に対応させたデータファイルと、このデータファイルに基づき、前記設問文、前記解答群を表示して前記解答群から解答を選択するよう促す表示処理手順、選択された解答に対応する医療行為の結果及び選択された解答に対応する解説を表示する表示処理手順、選択されなかった解答に対応する解説を表示する表示処理手順を含む表示制御ファイルとからなり、それらのファイルは、Ｗｅｂサーバ１３，教材作成端末１１及び学習端末１２において実行可能な所謂実行形式にして形成されている。
【０１３６】
・作成した対話型教材を、識別情報Ｉに対応する個別サーバ領域３２ａ，３２ｂ，３２ｃに格納する機能（教材格納手段１３ｂ）。
上述した図４に示すように、メニュー選択部５１の「ファイル」をクリックすると表示されるコマンドリストから「保存」を選択すると、データファイル作成処理、表示制御ファイル作成処理が実行される。
すなわち、上述した場合と同様にして、各欄に入力されている全データが図１２に示すように項目毎に抽出されてデータファイルに格納され、同時に、そのデータファイルを読み込んで動作する表示制御ファイルが作成されて、識別情報Ｉに対応する個別サーバ領域３２ａ，３２ｂ，３２ｃのいずれかに格納される。
【０１３７】
・個別サーバ領域のいずれかに格納された対話型教材を、教材作成端末１１にダウンロードする機能（教材ダウンロード手段１３ｃ）。
すなわち、自らが作成した対話型教材については、これをダウンロードして使用することができるようにしている。
【０１３８】
Ｗｅｂサーバ１３は、上記した機能の他、次のような機能を実現するようになっている。
・クライアント側コンピュータから入力された識別情報が対話型教材の作成を許された者であることを示すものか否かを判別する機能（第一の識別情報判別手段１３ｄ）。
【０１３９】
・その識別情報が対話型教材の作成を許された者であると判別したときには、クライアント側コンピュータから入力された識別情報に対応する個別サーバ領域への接続のみを許容する機能（第一の接続許容手段１３ｅ）。
具体的には、入力部１１ｂから入力された識別情報が、真正のものであるか否かを判定し、この判定結果が真正のものであるときにのみ、その教材作成端末１１からの接続を許容するようになっている。これにより、各端末からの不正なアクセスを防止できる。
【０１４０】
また、対話型教材の作成を許された者であることを示す識別情報が、これに対応する個別サーバ領域とともに、これとは異なる他の個別サーバ領域に関連付けられているときには、上記識別情報が対話型教材の作成を許された者であると判別したときには、その識別情報に対応する個別サーバ領域及び関連付けられている他の個別サーバ領域への接続が許容されるようになっている。
この場合、第一の接続許容手段１３ｅは、識別情報が対話型教材の作成を許された者であると判別したときには、その識別情報に対応する個別サーバ領域及び関連付けられている他の個別サーバ領域への接続を許容する機能を有するものとする。
【０１４１】
・クライアント側コンピュータから入力された識別情報が対話型教材の使用を許された者であることを示すものか否かを判別する機能（第二の識別情報判別手段１３ｆ）。
・その識別情報が対話型教材の使用を許された者であると判別したときには、上記共通サーバ領域への接続のみを許容する機能（第二の接続許容手段１３ｇ）。
ホスト側コンピュータに蓄積されている複数の対話型教材がグループ化されている場合、その識別情報が対話型教材の使用を許された者であると判別したときには、上記共通サーバ領域内の一のグループ化された複数の対話型教材への接続のみを許容する機能を有する。
「グループ」は、例えば大学別によるもの等である。
【０１４２】
・各個別サーバ領域のいずれかに対話型教材が蓄積されたか否かを判定する機能（蓄積判定手段１３ｈ）。
・いずれかの個別サーバ領域に蓄積された対話型教材を共通サーバ領域に複製する機能（複製手段１３ｉ）。
複製するタイミングは、個別サーバ領域３２ａ，３２ｂ，３２ｃに対話型教材が蓄積されたときから評価され、所定時間が経過した後に行われるようにしている。
「評価」は、一人又は二人以上の有識者によって行なわれ、ある一定以上の評価を得られた対話型教材だけを、共通サーバ領域に複製している。これにより、識別情報ＩＩを付与された特定の利用者は、厳選された対話型教材だけを使用した質のよい学習を行うことができるようになる。
【０１４３】
なお、本実施形態においては、ある一定以上の評価を得られた対話型教材だけを、共通サーバ領域に複製しているが、蓄積判定手段１３ｈにより、各個別サーバ領域のいずれかに対話型教材が蓄積されたと判定されたときに、その判定に係る対話型教材を共通サーバ領域に自動的に複製するようにしてもよい。このような機能を設けることにより、識別情報ＩＩを付与されている特定の利用者は、作成した対話型教材を利用した学習を時間的な遅れを生じることなく行うことができる。
【０１４４】
履歴データベースサーバ１５は、学習者が対話型教材により学習を行った際の各設問における得点等の得点履歴を保持する得点履歴テーブルを有するものである。
履歴データベースサーバ１５では、各学習者の対話型教材の実行日時とその時の得点等を保持した学習者の理解度評価テーブル、得点履歴テーブルに格納されたデータから計算された各設問の正解率等を保持する設問の難易度評価テーブルが設けられている。
このような履歴データベースサーバ１５を設けていることにより、識別情報ＩＩを付与された特定の利用者は、自己の学習の進捗状況を客観的に把握することができるとともに、対話型教材の良し悪しをも判断することができる。
【０１４５】
学習端末１２は、ＰＤＡ１６，ノートタイプやデスクトップタイプのパソコン１６，１７，１８であり、上述した教材作成端末１１の構成と同じく、表示部１６ａ，１７ａ，１８ａ，入力部，処理装置及び記憶装置（いずれも図示しない）を有した構成になっており、処理装置ではＷｅｂサーバ１３により作成された対話型教材の実行が可能である。
【０１４６】
なお、本実施形態に係るシステムＡを用いて対話型教材を作成する手順については、第一の実施形態において説明したものとほぼ同等のものであるので、ここでは、その詳細な説明を省略する。
【０１４７】
ところで、本発明は上述した各実施形態に限るものではなく、次のような変形実施が可能である。
第一の実施形態において説明した対話型教材作成装置２は、システム１をなす構成の一部になっていることを前提とした機能を備えたものとしているが、サーバ装置３に接続することなく、本発明を単独で実施する機能を保持させることができる。具体的には、次のとおりである。
【０１４８】
対話型教材作成装置２内の記憶装置２４の記憶領域を、対話型教材の作成を許された者であることを示す識別情報毎に、対話型教材を蓄積する個別記憶領域と、対話型教材の使用を許された者であることを示す識別情報に対応して、対話型教材を蓄積する共通記憶領域とに区画形成しておくことを前提として次のような機能を設ける。
・入力部から入力された識別情報が対話型教材の作成を許された者であることを示すものか否かを判別する機能（第一の識別情報判別手段）。
・識別情報が対話型教材の作成を許された者であると判別したときには、入力部から入力された識別情報に対応する個別記憶領域への接続のみを許容する機能（第一の接続許容手段）。
【０１４９】
・入力部から入力された識別情報が対話型教材の使用を許された者であることを示すものか否かを判別する機能（第二の識別情報判別手段）。
・その識別情報が対話型教材の使用を許された者であると判別したときには、上記共通サーバ領域への接続のみを許容する機能（第二の接続許容手段）。
【０１５０】
・設問に対する解答群の中から解答を選択する形式の対話型教材を作成する機能（教材作成手段）。
・作成した対話型教材を、識別情報Ｉに対応する個別記憶領域に格納する機能（教材格納手段）。
・各個別記憶領域のいずれかに対話型教材が蓄積されたか否かを判定する機能（蓄積判定手段）。
・いずれかの個別記憶領域に対話型教材が蓄積されたと判定したときには、その判定に係る対話型教材を共通記憶領域に複製する機能（複製手段）。
【０１５１】
以上の構成によれば、サーバ装置を用いることなく、対話型教材の作成を許された複数の者により、単一の教材作成装置を共通に使用することができるとともに、その教材作成装置を学習端末としても使用することができる。
【０１５２】
上記実施形態においては、共通サーバ領域と個別サーバ領域とを、単一の教材データベースサーバ内に区画形成した例について説明したが、複数の教材データベースサーバに、それぞれ共通サーバ領域や個別サーバ領域を形成した構成にしてもよい。
【図面の簡単な説明】
【０１５３】
【図１】本発明の第一の実施形態に係る対話型教材作成支援システムの全体構成を示す説明図である。
【図２】シナリオ作成手順のフローチャートである。
【図３】図２に示す設問作成ステップのフローチャートである。
【図４】シナリオ作成画面の説明図である。
【図５】シナリオ名入力画面の説明図である。
【図６】設問作成画面の説明図である。
【図７】シナリオ作成中のシナリオ作成画面（単一選択、複数選択）の説明図である。
【図８】シナリオ作成中のプレビュー画面の説明図である。
【図９】シナリオ作成中のシナリオ作成画面（位置選択）の説明図である。
【図１０】シナリオ作成中の選択領域編集画面の説明図である。
【図１１】シナリオ作成中のシナリオ作成画面（関連事項解説）の説明図である。
【図１２】シナリオ作成画面に入力されたデータの項目表である。
【図１３】プログラム実行時のシナリオ実行画面の説明図である。
【図１４】プログラム実行時の履歴表示時のシナリオ実行画面の説明図である。
【図１５】用語検索画面の説明図である。
【図１６】得点履歴表示画面の説明図である。
【図１７】本発明の第二の実施形態に係る対話型教材作成支援システムの全体構成を示す説明図である。
【図１８】ホスト側コンピュータのＷｅｂサーバと教材データベースサーバの概略構成を示すブロック図である。
【符号の説明】
【０１５４】
１，Ａ                  対話型教材作成システム
２，１１                教材作成装置（クライアント側コンピュータ）
３，１０                サーバ装置（ホスト側コンピュータ）
４，１２                学習端末（クライアント側コンピュータ）
５                      シナリオ作成画面
１１ａ，２１            表示部
１１ｂ，２２            入力部
１１ｃ，２３            処理装置
１１ｄ，２４            記憶装置
１３，３１              Ｗｅｂサーバ
１４，３２      教材データベースサーバ
１４ａ，１４ｂ，１４ｃ  個別サーバ領域
１４ｄ                  共通サーバ領域
１５，３３              履歴データベースサーバ
５２１                  設問群入力欄
５４１                  設問文入力欄
５５１１                解答群入力欄
５５３                  関連事項解説入力欄
５５４５                領域指定欄
５６１                  最大選択数指定欄
５７１                  医療行為結果入力欄
５７２                  選択解答解説入力欄
５７３                  選択時得点入力欄
５７４                  非選択解答解説入力欄
５７５                  非選択時得点入力欄
５９１１                シナリオ名入力欄
５９２１                設問名入力欄
５９２２                設問種別選択欄
【図１】
2006163357.tif 000003
【図２】
2006163357.tif 000004
【図３】
2006163357.tif 000005
【図４】
2006163357.tif 000006
【図５】
2006163357.tif 000007
【図６】
2006163357.tif 000008
【図７】
2006163357.tif 000009
【図８】
2006163357.tif 000010
【図９】
2006163357.tif 000011
【図１０】
2006163357.tif 000012
【図１１】
2006163357.tif 000013
【図１２】
2006163357.tif 000014
【図１３】
2006163357.tif 000015
【図１４】
2006163357.tif 000016
【図１５】
2006163357.tif 000017
【図１６】
2006163357.tif 000018
【図１７】
2006163357.tif 000019
【図１８】
2006163357.tif 000020